(57)【要約】【課題】衣服の開口部のバインダ仕立てを肌触りが良く見栄えの良い状態にする。【解決手段】衣服の開口部に連続した環状の接ぎなし筒状布を用いて縫製する。縫製に用いるバインダは、内側曲面を持つバインダ本体、前記バインダ本体の内側曲面に適合して開閉し、内側曲面を持つバインダ開閉部を含み、連続したリング状の接ぎなし筒状布をバインダ本体およびバインダ開閉部の間に挟み込んで、筒状布を折り畳み、さらにバインダ開閉部の内側曲面に衣服の身生地が挿入されて、折り畳まれた筒状布の間に身生地が挟み込まれる開閉式バインダである。また、本発明の環状の接ぎなし筒状布は、衣服の丸首衿部にＷ付け衿としてオーバーロックで縫い合わせることもできる。【選択図】図１
2014223113.tif 000002
【特許請求の範囲】
【請求項１】
衣服の身生地の開口部に縫製する、連続したリング状の接ぎなし筒状布。
【請求項２】
前記筒状布は、丸編みした筒状編み物からリング状に裁断したものであることを特徴とする、請求項１に記載の接ぎなし筒状布。
【請求項３】
衣服の衿部、袖口、裾口、前身頃開口部、または後身頃開口部に使用されることを特徴とする、請求項１または２に記載の筒状布。
【請求項４】
前記筒状布は、バインダを用いて身生地に縫い合わせることを特徴とする、請求項１〜３のいずれか１項に記載の筒状布。
【請求項５】
前記筒状布は、衣服の丸首衿部にＷ付け丸衿としてオーバーロックで縫い合わせたことを特徴とする請求項３に記載の筒状布。
【請求項６】
連続したリング状の接ぎなし筒状布の縫製に用いるバインダであって、
内側曲面を持つバインダ本体、前記バインダ本体の内側曲面に適合して開閉し、内側曲面を持つバインダ開閉部を含むバインダであって、
連続したリング状の接ぎなし筒状布を前記バインダ本体およびバインダ開閉部の間に挟み込んで、前記筒状布を折り畳み、さらにバインダ開閉部の内側曲面に身生地が挿入されて、前記折り畳まれた筒状布の間に前記身生地が挟み込まれることを特徴とする開閉式バインダ。
【請求項７】
連続したリング状の接ぎなし筒状布の縫製に用いるバインダであって、
Ｕ字形状の内側曲面を持つバインダ本体、前記バインダ本体の内側曲面に適合して前記バインダ本体と分離可能であるＵ字形状の筒状布押さえを含むことを特徴とし、
前記筒状布は前記バインダ本体および前記筒状布押さえの間に挟まれ、前記筒状布押さえのＵ字形状の内側に身生地が挿入され、２つ折り筒状布の間に身生地を挟み込むことを特徴とする分離式バインダ。
【請求項８】
連続したリング状の接ぎなし筒状布の縫製に用いるバインダであって、
Ｕ字形状の内側曲面を持つバインダ本体、前記バインダ本体の内側曲面に適合して前記バインダ本体と分離可能であるＵ字形状の筒状布押さえＡ、および前記Ｕ字形状の筒状布押さえの内側曲面に適合して前記バインダ本体および前記筒状布押さえと分離可能でありＵ字形状の筒状布押さえＢを含むことを特徴とし、
前記筒状布は前記バインダ本体および前記筒状布押さえＡの間に挟まれるとともに、前記筒状布押さえＡの内側に筒状布が折り曲げられ、この折り曲げられた筒状布は前記筒状布押さえＡおよび前記筒状布押さえＢにより挟まれ、さらに前記筒状布押さえＢのＵ字形状の内側に身生地が挿入され、３つ折りまたは４つ折り筒状布の間に身生地を挟み込むことを特徴とする分離式バインダ。
【請求項９】
前記バインダは請求項６〜８のいずれか１項に記載のバインダであることを特徴とする請求項４に記載の筒状布。
【請求項１０】
請求項１〜５、８のいずれか１項に記載の筒状布を用いた衣服。
【請求項１１】
請求項６〜８のいずれか１項に記載のバインダを用いて縫製した衣服。
【発明の詳細な説明】
【技術分野】
【０００１】
本発明は、Ｔシャツ等の衣服の開口箇所に縫い付ける筒状布、その縫い付ける時に用いるバインダ、および接ぎなし筒状布のＷ付け丸胴（丸衿）仕上げに関する。
【背景技術】
【０００２】
従来、衣服を縫製するとき、首周り、袖口など衣服の開口部の布の縁を別の布テープを巻き付けて縫い付けるバイピング（縁巻き）が行なわれている。この縫い付けは通常バインダ（バインダ−とも言う。以下バインダと記載する。）を用いたミシン縫製で行なわれるので、縫いつける別の布テープをバインダ布と称する。たとえば、Ｔシャツの衿に用いるバインダ布は、衿リブとも呼ばれる細長い帯状の形状であり、身頃の縫い始めと縫い終わりを縫い合わせて接ぐ方法で仕上げる。図１２は従来のＴシャツの衿部に用いているバインダ布を取り付けた状態を示す図である。一般に、帯状のバインダ布を用いた衿のバインダ縫いは左肩後身頃１２付近から入って、右ネック部から前身頃１４を通って、左肩部で左肩身頃１２で終わり、その部分を縫い合わせて閉じる。その縫い代部分１６を後倒しにして本縫い返し縫いで止める。（特許文献１）
【先行技術文献】
【特許文献】
【０００３】
【特許文献１】特開2003-236277
【発明の概要】
【発明が解決しようとする課題】
【０００４】
従来の帯状のバインダ布１１を用いると、上記のように縫い代部分１６が厚くなり、ごわついて肌触りも良くなく違和感があり、見栄えも綺麗にならないという問題がある。
【課題を解決するための手段】
【０００５】
上記課題を解決するために、本発明は、環状（リング状とも言う）の筒状布を用いる。環状の筒状布は、生地を出来上がり幅に丸編みをして接ぎのない輪状になっている。（この筒状布はリング状で接ぎがないので、「連続したリング状の接ぎなし筒状布」と呼ぶ場合もある。ここで、「連続した」とは、接ぎがない状態でひと繋ぎになった状態を示す。従って、「連続した」はなくても意味としては同じである。）また、この筒状布は、固定式ではなく、縫い終わるときに開閉式となっている開閉式バインダ（らっぱ）を用いて作製される。リブ自体は身頃と縫い続けて一周させて縫い始めに重なって縫い上げる。あるいは、筒状布は、衣服の丸首衿部にＷ付け衿としてオーバーロックで縫い合わせることもできる。具体的には以下の特徴を有する。
（１）本発明は、衣服の身生地の開口部に縫製する、連続したリング状の接ぎなし筒状布であり、この筒状布は、丸編みした筒状編み物からリング状に裁断したものであることを特徴とする。特に、この筒状布は、衣服の衿部、袖口、裾口、前身頃開口部、または後身頃開口部に使用される。連続したリング状の接ぎなし筒状布は、衣服の丸首衿部にＷ付け衿としてオーバーロックで縫い合わせることもできる。あるいは、連続したリング状の接ぎなし筒状布は、バインダを用いて身生地に縫い合わせることもできる。
【０００６】
（２）本発明は、連続したリング状の接ぎなし筒状布の縫製に用いるバインダであって、内側曲面を持つバインダ本体、前記バインダ本体の内側曲面に適合して開閉し、内側曲面を持つバインダ開閉部を含むバインダであり、連続したリング状の接ぎなし筒状布を前記バインダ本体およびバインダ開閉部の間に挟み込んで、筒状布を折り畳み、さらにバインダ開閉部の内側曲面に身生地が挿入されて、前記折り畳まれた筒状布の間に前記身生地が挟み込まれることを特徴とする開閉式バインダである。
【０００７】
（３）本発明は、連続したリング状の接ぎなし筒状布の縫製に用いるバインダであって、Ｕ字形状の内側曲面を持つバインダ本体、前記バインダ本体の内側曲面に適合して前記バインダ本体と分離可能であるＵ字形状の筒状布押さえを含むことを特徴とし、筒状布は前記バインダ本体および前記筒状布押さえの間に挟まれ、前記筒状布押さえのＵ字形状の内側に身生地が挿入され、２つ折り筒状布の間に身生地を挟み込むことを特徴とする分離式バインダである。
【０００８】
（４）本発明は、連続したリング状の接ぎなし筒状布の縫製に用いるバインダであって、Ｕ字形状の内側曲面を持つバインダ本体、前記バインダ本体の内側曲面に適合して前記バインダ本体と分離可能であるＵ字形状の筒状布押さえＡ、および前記Ｕ字形状の筒状布押さえの内側曲面に適合して前記バインダ本体および前記筒状布押さえと分離可能でありＵ字形状の筒状布押さえＢを含むことを特徴とし、筒状布は前記バインダ本体および前記筒状布押さえＡの間に挟まれるとともに、前記筒状布押さえＡの内側に筒状布が折り曲げられ、この折り曲げられた筒状布は前記筒状布押さえＡおよび前記筒状布押さえＢにより挟まれ、さらに前記筒状布押さえＢのＵ字形状の内側に身生地が挿入され、３つ折りまたは４つ折り筒状布の間に身生地を挟み込むことを特徴とする分離式バインダである。
【発明の効果】
【０００９】
筒状布は最初から環状（輪）になっていて、しかも生地を接ぐ箇所がないので、縫い代部がなく、出来上がりで重なる部分がない。すなわち、筒状布上で厚くなる場所がなく、どこでも一定厚みとなる。従って、見栄えも綺麗に仕上がり綺麗になる。また、ごわつきもないので、肌触りも良く違和感がなくなる。本発明のような連続したひと繋ぎのリング状の筒状布は従来のバインダ（たとえば、特許文献１）を用いて縫製することはできないが、本発明の開閉式バインダまたは分離式バインダを用いることによって、連続したひと繋ぎのリング状の筒状布をバインダ内側に納めることができ、身生地を２つ折り、３つ折り、および４つ折り等の筒状布で挟んで、これらをミシンで縫い付けることができる。
【図面の簡単な説明】
【００１０】
【図１】図１は、本発明の筒状布を用いて作製したＴシャツの衿部を示す図である。
【図２】図２は、筒状布の作製方法の一例を示す図である。
【図３】図３は、本発明のリング状筒状布をＴシャツの衿部に組み付けるバインダの実施例を示す図である。
【図４】図４は、開閉式バインダの動作を示す図である。
【図５】図５は、開閉式バインダの動作を示す図である。
【図６】図６は、開閉式バインダの動作を示す図である。
【図７】図７は、筒状布を４つ折りするバインダの構造およびその組立て方法を示す図である。
【図８】図８は、筒状布を３つ折りするバインダの構造およびその組立て方法を示す図である。
【図９】図９は、バインダおよび押さえ金の配置状態を示す平面図である。
【図１０】図１０は、筒状布の別の作製方法を示す図である。
【図１１】図１１は、半袖Ｔシャツの開口部分を示す図である。
【図１２】図１２は、従来のＴシャツの衿部に用いている筒状布の取り付けた状態を示す図である。
【図１３】図１３は、リング状の接ぎなし筒状布を用いてＴシャツ丸首のＷ付け衿を２本針オーバーロックで縫い合わせた状態を示すＴシャツの衿部を示す図である。
【図１４】図１４は、リング状の接ぎなし筒状布を用いて、ハイネックの丸首Ｗ付け衿を２本針（または１本針）オーバーロックで縫い合わせた状態を示すＴシャツの衿部を示す図である。
【図１５】図１５は、丸首のＷ付け衿を二本針オーバーロックで縫い合わせて作製した実際の丸首衿Ｔシャツの作製例を示す図である。
【図１６】図１６は、図１５に示す丸首衿Ｔシャツをボディに着せた様子を示す図である。
【発明を実施するための形態】
【００１１】
本発明の筒状布は、ひと繋ぎの連続した接ぎのないリング状であり、衣服のリング状に開口する部分（たとえば、衿周り、裾、袖口等の衣服の端となる部分）に使用し包むように始末するものである。始末箇所は丈夫に仕上がるとともに、縫い上がりや配色を考慮することにより見栄えの良いデザイン効果も得られる。
【００１２】
図１は、本発明の筒状布を用いて作製したＴシャツの衿部を示す図である。Ｔシャツ衿部に用いる筒状布２２は、出来上がり幅に丸編みをして作製し、衿周りサイズに合わせたリング（輪）形状となっている。この筒状布２２を布幅の中心（破線で示す）２３で折り曲げてＴシャツ２１の衿部に被せて、筒状布２２をＴシャツ２１に縫い合わせてＴシャツ２１の衿リブを作製する。縫い合わせは、後述する特製のバインダを用いて、図１に示すような２本針ステッチ（破線２７）や、２本針表振りステッチ、１本針ステッチ、あるいは３本針ステッチ等種々のステッチを使用することができる。衿幅が細いときは１本針、衿幅が太い場合は２本針で対応できる。筒状布２２はリング状であるから、どこから縫い始めても良いが、通常は後身頃２５の左肩部２６から入って、右側ネックポイントから前身頃２４を通って、縫い続けて１周し、後身頃２５の左肩部２６で縫い始めに（脇縫い目で）重なって縫い終わる。糸の縫い線は始めと終わりで一部重なるが、筒状布が重なる部分がないので、衿周りはどの部分も同じ厚さとなる。尚、筒状布は、必要に応じて３つ折りや４つ折りでＴシャツの衿部に縫い合わせることもできる。通常は、Ｔシャツ身頃側の衿周りは筒状布の周囲長さよりも長く、筒状布を伸ばしながらＴシャツ身頃側の衿周りに縫製する。
【００１３】
図２は、筒状布の作製方法の一例を示す図である。筒状布を用いるサイズ（たとえば、Ｔシャツの衿周りが半径Ｒの円形状である場合は、半径Ｒの円形サイズとなるが、上述したように筒状布の周囲長さをＴシャツの衿周りより少し短くすると綺麗な縫製ができる。）に合わせて丸編みをして円柱形の丸編み布２を作製する。次に、筒状布幅Ｗに合わせて、円柱形の丸編み布２をラインＡ１、Ａ２、Ａ３で裁断する。これによってＷ幅の筒状布が多数（２−１、２−２、２−３、２−４、・・・）同時に作製できる。Ｗ幅を変更すれば異なる幅の筒状布も作製できる。もちろん、丸編みしながら所定の幅の筒状布を作製できたときに分離して次の筒状布を作製しても良い。W幅の筒状布を裁断した後に、図１に示すように、２つ折りの場合は筒状布幅の略中心（破線で示す。たとえば、２−２−Ｃ）で折り曲げる。筒状布は身生地と同じ生地（材料）でも良いし、異なる生地（材料）でも良い。筒状布の色もデザインに合わせて適宜選択することができる。
【００１４】
図３は、本発明のリング状筒状布をＴシャツの衿部に組み付けるバインダの実施例を示す図である。バインダを用いているので、本発明のリング状接ぎなし筒状布をリング状接ぎなしバインダ布と呼んでも良い。本発明の筒状布はリング状であるから、従来の閉じたバインダでは本発明の筒状布をバインダ内に納めることができず使用できない。そこで本発明の開閉式バインダを用いて本発明のリング状の筒状布を衣服の開口部の身生地に重ねて縫い合わせる。バインダ３３は開閉式で、バインダ本体部３３Ａ、バインダ開閉部３３Ｂおよびバインダ支持部３３Ｃからなり、バインダ本体部３３Ａおよびバインダ開閉部３３Ｂは開閉治具３４で結合し、後に示すように開閉できるようになっている。リング状の筒状布３２はバインダ３３の入り口部３３Ｄから入り、バインダ３３内で２つ折りにされて、バインダ３３の出口部３３Ｅから重ねられて出ていく。また、２つ折りにされた筒状布３２の間に挟まれる身頃３１の衿部も、バインダ３３の入り口部３３Ｄの別口から入り、バインダ３３の出口部３３Ｅで筒状布３２の２つ折りされた筒状布上側生地３２Ａと筒状布下側生地３２Ｂの間に挟まって出ていく。（あるいは、挟まずに単に重ねるようにバインダを作製することもでき、この場合は、重ね縫いとなる。）バインダ３３の出口部３３Ｅの外側には、ミシン針３５が配置されており、筒状布３２と身頃３１の衿部が縫い合わされ、縫い目（破線３６）が形成される。尚、図３では押さえ金等は省略している。
【００１５】
図４、図５および図６は、図３で示す開閉式バインダ３３の動作を示す図である。バインダ３３には、バインダ本体部３３Ａおよびバインダ開閉部３３Ｂを連結し、バインダ開閉部３３Ｂを開閉する開閉治具３４が取り付けられている。この開閉治具３４は、たとえば蝶番またはヒンジである。バインダ本体部３３Ａは内面が円弧状等の曲面状に湾曲しており、バインダ開閉部３３Ｂはこのバインダ本体部３３Ａの内曲面と適合するようにほぼ同じ曲面で形成されている。筒状布３２をセットする前にバインダ開閉部３３Ｂは、図４に示すように開いており、リング状の筒状布３２がバインダ本体部３３Ａの内面に沿うように配置される。
【００１６】
次に、図５に示すようにバインダ開閉部３３Ｂを閉方向に動かして、筒状布３２をバインダ本体部３３Ａおよびバインダ開閉部３３Ｂの間に挟むようにする。さらに、図６に示すように、バインダ開閉部３３Ｂの外面をバインダ本体部３３Ａの内面に押し込み、筒状布３２をバインダ本体部３３Ａおよびバインダ開閉部３３Ｂの間に挟み込む。このバインダ開閉部３３Ｂが閉じたことにより、筒状布３２はバインダ幅の折れ線３２Ｃ（ほぼ中心）がバインダ３３Ａおよびバインダ開閉部３３Ｂの中心部付近に配置され、筒状布３２は折れ線３２Ｃで２つ折れ状態になる。また２つ折れの筒状布３２の間に挟まれる身頃３１の衿部は、バインダ開閉部３３Ｂの内面の曲面部に入り込むようにセットされる。バインダ開閉部３３Ｂがバインダ本体部３３Ａに完全に閉じた状態が図３に示す状態である。バインダ本体部３３Ａの内面の曲面は、たとえば、断面形状が円形の一部（すなわち、扇型または円弧）、楕円形の一部、双曲線の一部、放物線の一部の形状、Ｕ字形状、あるいはＶ字形状であり、バインダ開閉部３３Ｂの外面は、バインダ本体部３３Ａの内面の曲面に適合する形状である。
【００１７】
この完全に閉じた状態では、バインダ３３の入り口部３３Ｄは比較的大きく開いた状態にあり、筒状布３２が入り込みやすくなっている。そして、バインダ３３の出口部３３Ｅに向かってバインダ３３の内側空洞は徐々になめらかに狭くなり、バインダ３３の出口部３３Ｅでは２つ折れした筒状布３２の上側生地３２Ａおよび下側生地３２Ｂの間に身頃３１の衿部が挟まれて密着して重なって出ていく。バインダ３３の出口部３３Ｅの外側直近には、押さえ金（図示せず）が配置されるとともにミシン針が上下して筒状布３２と身頃３１の衿部が縫い合わされる。こうして、連続したひとつなぎのリング形状の筒状布は２つ折りされ、その２つ折りされた筒状布の間に身頃が挟まれて重ねられた状態で縫製される。また、バインダ本体部３３Ａおよびバインダ開閉部３３Ｂは筒状布３２の曲率に合わせるようにカーブ形状になっており、筒状布３２および身頃３１の衿部がシワを発生しないようになっている。
【００１８】
本発明の筒状布は、連続したひとつなぎのリング形状であるから、筒状布をバインダ内へ通す必要があるので、従来の閉じたバインダを使用することは不可能で、上述したように、本発明のバインダのように開閉式（あるいは、後述の分離式）であることが必要である。また、バインダの内側構造は、筒状布を幅方向に２つ、３つ、または４つ以上に折るための構造となっている。筒状布が入るバインダ入り口は筒状布およびその筒状布の間に挟み込む生地（Ｔシャツの衿部であれば、身（頃）生地の衿部）がスムーズに入り易いように少し広がった構造となっており、筒状布が出ていくバインダ出口は筒状布を折り畳むと同時にその筒状布の間に挟み込む生地（Ｔシャツの衿部であれば、身（頃）生地の衿部）を確実に挟み込むように狭まった構造となっている。また、筒状布および挟み込む生地は内側に曲線を描いて閉じているので、筒状布等がシワ等を発生させずになめらかに移動するためにバインダ内面はその曲線に合わせたカーブ形状であることが望ましい。
【００１９】
図３〜図６に示すバインダは開閉治具を用いた開閉式バインダであるが、分離式バインダでも本発明の筒状布を縫製できる。図７は、筒状布を４つ折りするバインダの構造およびその組立て方法を示す図である。図７は、筒状布を４つ折りする方法が分かるように断面構造で示している。図７（ａ）に示すように、内面形状が馬蹄形やＵ字形状のバインダ本体５１、そのバインダ本体５１の内面に適合する内面形状および外面形状が馬蹄形やＵ字形状の筒状布押さえＡ５３、およびこの筒状布押さえＡ５３の内面に適合する内面形状および外面形状が馬蹄形やＵ字形状であり、さらにこの馬蹄形状やＵ字形状の外側が湾曲してバインダ本体５１の先端部と嵌合する筒状布押さえＢ５４から構成される。これらのバインダ本体５１、筒状布押さえＡ５３、および筒状布押さえＢ５４は互いに分離できるようになっている。リング状の筒状布５２（図７では幅方向の断面として見ている）が、バインダ本体５１の内面に沿って配置される。図７（ａ）に示すように、筒状布５２をバインダ本体５１との間に挟むようにして筒状布押さえＡ５３をバインダ本体５１の内側に入れる。
【００２０】
次に、図７（ｂ）に示すように、筒状布５２は筒状布押さえＡ５３のＵ字形の直線部分より長く出ており、この長く出た筒状布５２を筒状布押さえＡ５３の内側に折り曲げる。次に、筒状布押さえＡ５３の内側に筒状布押さえＢ５４を入れて、図７（ｃ）に示すように、折り曲げた筒状布５２の（幅方向の）外側を筒状布押さえＡ５３と筒状布押さえＢ５４で挟む。筒状布押さえＢ５４の外側はバインダ本体５１に嵌合して固定できるようになっている。あるいは、筒状布押さえＢ５４の片側をバインダ本体５１と開閉治具で結合させて、開閉できるようにしても良い。また、筒状布押さえＡ５３は、その内側に連結治具５７を取り付けて、筒状布押さえＢ５４を閉じたときに筒状布押さえＢ５４と結合して固定できるようにする。このように、バインダ本体５１、筒状布押さえＡ５３、および筒状布押さえＢ５４を組立てて固定することによって、リング状の筒状布５２を４つ折りにすることができる。
【００２１】
次に、筒状布５２の間に挟む生地（これを身生地と呼ぶ。たとえば、Ｔシャツの身頃の衿部）５５を筒状布押さえＢ５４の内側のＵ字溝に入れる。｛図７（ｃ）｝バインダの入り口側は広くしておき、バインダの出口に向かうにつれて徐々に隙間を狭くすれば、筒状布５２は皺が発生せずになめらかに折り曲げられて、バインダ出口では身生地５５を間に密着して挟んだ４つ折りに畳まれた筒状布を作製できる。そして、バインダ出口に近接して配置された押さえ金で重なった身生地５５および筒状布５２を抑えて、ミシン針で縫製する。筒状布は送り歯によりバインダ外へ送り出されて一周して身生地に縫い合わされる。
【００２２】
図８は、筒状布を３つ折りするバインダの構造およびその組立て方法を示す図である。基本構造は図７に示す４つ折りのバインダと同じである。内面が馬蹄形またはＵ字形のバインダ本体６１の内面に筒状布６２を配置した後、バインダ本体６１の内面に適合する筒状布押さえＡ６３を入れる。筒状布６２の幅方向の片側は、筒状布押さえＡ６３のＵ字形の直線部分より外側に出ないようにし、この部分の筒状布は折り曲げない。筒状布６２の幅方向のもう一方側は、筒状布押さえＡ６３のＵ字形の直線部分より長くして、｛図８（ａ）｝内側に折り曲げる。｛図８（ｂ）｝次に、内面が馬蹄形またはＵ字形のバインダ押さえＡ６３の内側に、筒状布押さえＢ６４を入れて、図８（ｃ）に示すように、折り曲げた筒状布６２の（幅方向の一方の）外側を筒状布押さえＡ６３と筒状布押さえＢ６４で挟む。筒状布押さえＢ６４はバインダ本体６１の外側（内側でも良い）に嵌合して、筒状布押さえＢ６４はバインダ本体６１に固定される。また、連結治具６７によって、筒状布押さえＡ６３は筒状布押さえＢ６４に固定され、バインダ本体６１、筒状布押さえＡ６３、および筒状布押さえＢ６４は一体となりバインダを構成する。次に生地６５が筒状布押さえＢ６４のＵ字溝に入れる。以上のようにして、筒状布６２は３つ折りに重なり、その間に身生地６５を挟み込む。バインダの入り口側は広くしておき、バインダの出口に向かうにつれて徐々に隙間を狭くすれば、筒状布６２は皺が発生せずになめらかに折り曲げられて、バインダ出口では身生地６５を間に密着して挟んだ３つ折りに畳まれた筒状布を作製できる。そして、バインダ出口に密接して配置された押さえ金で重なった身生地６５および筒状布６２を抑えて、ミシン針で縫製する。
【００２３】
図７または図８において直ぐに分かるように、２つ折り筒状布についても簡単に実現できる。すなわち、筒状布押さえＡ６３のＵ字形の直線部分より筒状布６２が食みださないような長さのものを用いて、筒状布６２を筒状布押さえＡ６３の内側に折り曲げないようにし（筒状布６２の幅が短いので折り曲げることができない）、筒状布６２をバインダ本体６１およびバインダ押さえＡの間に挟む。バインダ押さえＢは不要であり、身生地６５はバインダ押さえＡのＵ字形の内側に挿入する。また、バインダ押さえＡの外側形状をバインダ押さえＢの形状と同じようにすれば、バインダ本体６１と連結固定できる。
【００２４】
図９は、バインダおよび押さえ金の配置状態を示す平面図である。バインダ支持体７２にバインダ７３が取り付けられ、バインダ７３の出口７６直近に押さえ金が配置される。ここに示すバインダ７３は本発明の開閉式または分離式バインダである。バインダ７３の入り口７５から筒状布および筒状布取り付け生地（身生地）が入り、バインダ７３の出口７６で身生地を挟んで折り畳まれた筒状布が出ていく。バインダ７３から出た身生地を挟んで折り畳まれた筒状布は押さえ金７７で直ぐに押さえられながら、ミシン針が針穴７８から入り、筒状布および生地を縫いつける。図９ら分かるように、バインダ７３は入り口側７５が広く徐々に狭まり出口側７６で最小となり、筒状布がスムーズに（皺がよらないように）折り曲げられていく。また、バインダの内側７４は筒状布の曲線に合わせてカーブしており、筒状布等がスムーズにバインダ内に入り込み皺が生じずに折り畳まれるようになっている。バインダ支持体７２に取り付けたバインダ７３および押さえ金７７は、針板に取り付けられる。このように、本発明の開閉式バインダまたは分離式バインダ７３の配置も従来の配置と同じである。本発明の開閉式バインダはエアーシリンダや電導モーターなどを用いて自動的に開閉できるようにしても良いし、マニュアルで開閉しても良い。また、本発明の分離式バインダもエアーシリンダや電導モーターなどを用いて自動的に分離できるようにしても良いし、マニュアルで開閉しても良い。
【００２５】
筒状布の形状として、丸編し連続した一定幅（場所により幅が変化したものも含む）のひとつなぎのリング形状のもの、あるいは、布地を所定形状のリング状に裁断したものなどを使用できる。尚、ここでリング（形）状とは、円形や楕円形をしたドーナツ形状だけではなく、ある曲率（直線形状も含む）を有してひとつなぎにした内側が空いていてある幅（場所により幅は変化しても良い）を持ったひとつなぎの連続した帯状のもの（帯状ではあるが接ぎ目がないものが望ましい）、あるいは、もっと広義に言えば、内側が空いていてある幅（場所により幅は変化しても良い）を持ったひとつなぎの連続した帯状のもの（帯状ではあるが接ぎ目がないものが望ましい）を言う。
【００２６】
図２において、半径Ｒの円柱形状（筒形状）の丸編み布をＷ幅で裁断した筒状布の作製方法について説明したが、布は伸縮自在でありまた折り曲げ等の変形も自在であるから、作製時は外側および内側が円形になっていても楕円形状、矩形状、台形状、三角形状、多角形状など任意の形状に変形が可能である。それらの柱状の布をＷ幅（Ｗ幅は、通常は一定だが、場所により変化しても良い）で裁断すれば、種々の形状の筒状布を作製できる。
【００２７】
図１０は、筒状布の別の作製方法を示す図である。平面的な布シートから、図１０に示す形状を切り抜きすれば、内側が空いたひと繋ぎで縫い目のないリング形状で種々の形状の筒状布を作製できる。図１０（ａ）は円形、図１０（ｂ）は楕円形、図１０（ｃ）は円形＋楕円形、図１０（ｄ）は四角形（矩形、長方形）、図１０（ｅ）は三角形、図１０（ｆ）は台形、図１０（ｇ）は台形＋円形、図１０（ｈ）は円形＋四角形、図１０（ｉ）は円形＋台形＋円形である。（内側が開口している。）これらの形状以外にも星形形状など任意の形状の筒状布を作製できる。（すべて、内側が開口したリング形状である。）また、サイズも身頃の衿等の取り付ける部分に合わせることも容易である。型紙やサイズに合わせて裁断するだけなので、簡単に内側が空いたひと繋ぎで縫い目のないリング形状で種々の形状の筒状布を作製できる。
【００２８】
リング状の接ぎなし筒状布を縫製する場合、本発明の開閉式または分離式バインダを用いることによって、簡単に複数折り縫製が可能であることを説明してきたが、バインダを用いずに筒状布の縫製することも可能である。たとえば、図１３はリング状の接ぎなし筒状布を用いてＴシャツ丸首（あるいは、丸首（衿）Ｔシャツ）のＷ付け衿を２本針（または１本針）オーバーロックで縫い合わせた状態を示すＴシャツの衿部を示す図である。リング状の接ぎなし筒状布８２を手で２つ折りし、その筒状布８２に身頃生地８１の衿部を挟んで重ねてアイロンをかけて形を整えた後、オーバーロック縫い８３を行ない表に返すことによって、身頃生地８２１筒状布８２のＷ付けオーバーロック縫いが可能である。このとき、筒状布はカーブしているので、生地と筒状布がずれないように合印をマチ針等で止めておくと良い。
【００２９】
図１５は、丸首のＷ付け衿を二本針オーバーロックで縫い合わせて作製した実際の丸首衿Ｔシャツの作製例を示す図である。また、図１６は、図１５に示す丸首衿Ｔシャツをボディに着せた様子を示す図である。これらの図からも分かるように、オーバーロック縫いの技術が向上すればバインダを用いなくても、オーバーロックの縫い目をきれいに縫うことができ、表側も衿の付け線がきれいに出ている。通常は図１２に示すように、衿リブの接ぎ部分および重なり部分１６が、たとえば左ネックポイント付近に出てくるが、図１３、図１５、図１６に示すように、衿リブの接ぎ部分がないので、見栄えも良く、また違和感のない着心地となる。また、衿を身頃に縫い付けた後に、２本針環縫い飾りミシンをすることができる。
【００３０】
図１４は、リング状の接ぎなし筒状布を用いて、ハイネックの丸首Ｗ付け衿を２本針（または１本針）オーバーロックで縫い合わせた状態を示すＴシャツの衿部を示す図である。通常の丸首Ｗ付け衿に用いる筒状布よりも幅の広いリング状の接ぎなし筒状布８６を用いて、２つ折りして（あるいは、２つ折りせず１枚で）身頃生地８５の衿部と重ねてオーバーロックで縫い合わせる。従来は、後側のセンター付近に接ぎがある衿リブとなるが、図１４に示す場合も衿リブには接ぎがなく、きれいなハイネック仕上げとなり、首への感触も違和感がなくなる。尚、リング状の接ぎなし筒状布を用いて、通常のＷ付け衿またはハイネックＷ付け衿を行なうとき、最初に折り曲げずに（折り曲げておいても良いが）一方の端部を身頃生地の衿部に縫い付け、次に折り曲げて他方の端部を身頃生地の衿部に縫い合わせることもできる。あるいは、１枚のシングルとして衿を縫い付けることもあり、内バインダやＷ付けをしてから内側にリブを折り入れてステッチすることができる。
【００３１】
本発明の連続したリング状の接ぎなし筒状布は、衣服の種々の部分に用いることができる。すなわち、衣服の身生地で開口している部分に、接ぎなし筒状布を縫製できる。図１１は半袖Ｔシャツ５１を示す図であるが、衿部５２、袖部５３、裾部５４は開口しリング状になっている。このような開口部にも本発明のリング状の接ぎなし筒状布を、本発明のバインダを用いてミシン縫製することができる。また、ランニングシャツの場合は、袖部がないので、腕のつけ根部５５にも本発明のリング状の接ぎなし筒状布を用いることができる。Ｔシャツ等の衣服にアクセサリとして取り付ける後や前の身生地の穴開き部５６も開口しているので、本発明のリング状の接ぎなし筒状布を本発明のバインダを用いてミシン縫製することができる。さらに、バッグや小物類にも開口部分がある場合、本発明のリング状の接ぎなし筒状布を用いることができ、それに合わせた本発明のバインダを用いて縫製できる。本発明の筒状布はリング状で接ぎなしであるから、筒状布が重なる部分がなくごわついた部分がなく見栄えも良い。本発明の開閉式バインダまたは分離式バインダを用いることによって、２つ折り、３つ折り、４つ折り等の重ね縫いをきれいに重ね、綺麗に縫製できる。このように本発明のリング状の接ぎなし筒状布の適用範囲は広い。
【００３２】
尚、明細書の各部分に記載し説明した内容を記載しなかった他の部分においても矛盾なく適用できることに関しては、当該他の部分に当該内容を適用できることは言うまでもない。さらに、上記実施形態は一例であり、要旨を逸脱しない範囲内で種々変更して実施でき、本発明の権利範囲が上記実施形態に限定されないことも言うまでもない。
【産業上の利用可能性】
【００３３】
本発明の筒状布およびバインダは、たとえば、Ｔシャツ、カットソー、スポーツウエア、衣服、小物、アクセサリなどに使用できる。
【符号の説明】
【００３４】
２１・・・Ｔシャツ、２２・・・筒状布、２４・・・前身頃、２５・・・後身頃、
２６・・・左肩部、２７・・・縫い線、
【図１】
2014223113.tif 000003
【図２】
2014223113.tif 000004
【図３】
2014223113.tif 000005
【図４】
2014223113.tif 000006
【図５】
2014223113.tif 000007
【図６】
2014223113.tif 000008
【図７】
2014223113.tif 000009
【図８】
2014223113.tif 000010
【図９】
2014223113.tif 000011
【図１０】
2014223113.tif 000012
【図１１】
2014223113.tif 000013
【図１２】
2014223113.tif 000014
【図１３】
2014223113.tif 000015
【図１４】
2014223113.tif 000016
【図１５】
2014223113.tif 000017
【図１６】
2014223113.tif 000018